(57)【特許請求の範囲】
【請求項１】
印刷幅の両側に配置されるフレーム間に、斜めに配置された底板及びこの幅方向の両側に配置される側板とにより形成されるインキを溜めるためのインキつぼと、左右両フレームにそれぞれ設けられた軸受により回転自在に支持され、底板の端部と近接する位置に配置されインキつぼからインキを送り出すためのインキ元ローラと、両端を左右両フレームに取り付けられて、底板の下方に配置されているつぼ台と、前記インキ元ローラに沿って複数個に細かく分割されたインキつぼキーと、前記分割インキつぼキーを前記インキ元ローラ対して前後進させるための駆動部とを備えた印刷機のインキ供給装置において、前記インキ供給装置が、一つの画像に対応した互いに異なる幅を持つ一個以上の分割インキつぼキーを有し、前記インキ元ローラの軸方向に隣接していることを特徴とするインキ供給装置。
【請求項２】
印刷幅の両側に配置されるフレーム間に、斜めに配置された底板及びこの幅方向の両側に配置される側板とにより形成されるインキを溜めるためのインキつぼと、左右両フレームにそれぞれ設けられた軸受により回転自在に支持され、底板の端部と近接する位置に配置されインキつぼからインキを送り出すためのインキ元ローラと、両端を左右両フレームに取り付けられて、底板の下方に配置されているつぼ台と、前記インキ元ローラに沿って複数個に細かく分割されたインキつぼキーと、前記分割インキつぼキーを前記インキ元ローラ対して前後進させるための駆動部とを備えた印刷機のインキ供給装置において、前記インキ供給装置が、複数の画像に対応した互いに異なる幅を持つ一個以上の分割インキつぼキーと、インキ元ローラの軸方向に隣り合う複数の画像におけるそれぞれの間隙に対応した互いに異なる幅を持つ一個以上の固定インキつぼキーとの組み合わせによって構成されるインキつぼキーを有し、前記インキ元ローラの軸方向に隣接していることを特徴とするインキ供給装置。
【請求項３】
前記固定インキつぼキーが、ゼロもしくは微量に調整可能であることを特徴とする、請求項２記載のインキ供給装置。
【請求項４】
印刷幅の両側に配置されるフレーム間に、斜めに配置された底板及びこの幅方向の両側に配置される側板とにより形成されるインキを溜めるためのインキつぼと、左右両フレームにそれぞれ設けられた軸受により回転自在に支持され、底板の端部と近接する位置に配置されインキつぼからインキを送り出すためのインキ元ローラと、両端を左右両フレームに取り付けられて、底板の下方に配置されているつぼ台と、前記インキ元ローラに沿って複数個に細かく分割されたインキつぼキーと、前記分割インキつぼキーを前記インキ元ローラ対して前後進させるための駆動部とを備えた印刷機のインキ供給装置において、前記インキ供給装置が、一つの画像に対応した互いに異なる幅を持つ一個以上の分割インキつぼキーを有し、前記インキ元ローラの軸方向に隣接しているインキ供給装置を用いて、一つの画像の幅に対応させて分割インキつぼキーを隣接し、かつ前記分割インキつぼキーを前記インキ元ローラに対して前後進させ、インキ供給量によって各位置のインキ濃度を設計通りに調整し、被印刷物に高精度な印刷をすることを特徴とする印刷方法。
【請求項５】
印刷幅の両側に配置されるフレーム間に、斜めに配置された底板及びこの幅方向の両側に配置される側板とにより形成されるインキを溜めるためのインキつぼと、左右両フレームにそれぞれ設けられた軸受により回転自在に支持され、底板の端部と近接する位置に配置されインキつぼからインキを送り出すためのインキ元ローラと、両端を左右両フレームに取り付けられて、底板の下方に配置されているつぼ台と、前記インキ元ローラに沿って複数個に細かく分割されたインキつぼキーと、前記分割インキつぼキーを前記インキ元ローラ対して前後進させるための駆動部とを備えた印刷機のインキ供給装置において、前記インキ供給装置が、複数の画像に対応した互いに異なる幅を持つ一個以上の分割インキつぼキーと、インキ元ローラの軸方向に隣り合う複数の画像におけるそれぞれの間隙に対応した互いに異なる幅を持つ一個以上の固定インキつぼキーとの組み合わせによって構成されるインキつぼキーを有し、前記インキ元ローラの軸方向に隣接していることを特徴とするインキ供給装置を用いて、インキ元ローラに対して隣り合う複数の画像におけるそれぞれの間隙に対応させて前記固定インキつぼキーを、ゼロもしくは微量に調整し、かつ複数の画像の幅に対応させて分割インキつぼキーを隣接し、前記分割インキつぼキーを前記インキ元ローラに対して前後進させ、インキ供給量によって各位置のインキ濃度を設計通りに調整し、被印刷物に高精度な印刷をすることを特徴とする印刷方法。
【発明の詳細な説明】
【０００１】
【発明の属する技術分野】
本発明は、画像とその幅及び数に対応でき、それによって最適なインキ供給量の微量調整が可能な、互いに異なる幅を持つインキつぼキーを有するインキ供給装置及び該インキ供給装置を用いて高精度な印刷を行う印刷方法に関する。
【０００２】
【従来の技術】
一般に、印刷機におけるインキ供給装置は、図７及び図８に示すようにインキを供給するローラであるインキ元ローラ（７１）と、インキを溜めておきインキ元ローラ（７１）にインキを供給するインキつぼ（７２）とを設備している。インキつぼ（７２）は、インキ元ローラ（７１）の外周面と、インキつぼ（７２）の底部を形成する均等幅分割インキつぼキー（７３）と均等幅分割インキつぼキー（７３）の両側面に備えられ前端をインキ元ローラ（７１）の外周面に近接する２つ基準インキつぼキー（８３）と、基準インキつぼキー（８３）の側面とインキ元ローラ（７１）の端面に摺接している側板（８１）とから構成されており、均等幅分割インキつぼキー（７３）をインキ元ローラ（７１）にあてて溝を作り、ここに適量のインキを入れて、均等幅分割インキつぼキー（７３）とインキ元ローラ（７１）の間からインキ膜をインキ元ローラの回転で練り出し、その厚みを部分的に調整してインキ膜が形成される。
【０００３】
印刷は、被印刷物に対して設定された幅で行われるが、通常はその幅の各位置におけるインキ転写面積、即ち画像面積が異なるため、各位置において必要となるインキ量が異なっている。つまり、インキ元ローラ（７１）と均等幅分割インキつぼキー（７３）との間隔がインキ元ローラ（７１）の幅方向の各位置で同一であると、各位置で供給されるインキ量がほぼ同一となり、印刷した印刷用紙に濃い部分と薄い部分ができる。
【０００４】
均一な濃淡を求められる印刷物において、インキ出し量を微細に調整できる従来の均等幅分割インキつぼキー（８３）は、インキ元ローラ（７１）の軸方向に沿って複数個に細かく均等に分割されており、隣接する均等幅分割インキつぼキー（７３）及び両端の基準インキつぼキー（８３）と側板（８１）とは互いに摺接している。また、均等幅分割インキつぼキー（７３）ごとに分割インキつぼキー調整装置が設備されており、均等幅分割インキつぼキー（７３）とインキ元ローラ（７１）の間隔を独立して調整でき、インキ出し量を分割して制御するようになっている。
【０００５】
分割インキつぼキー調整装置は、各均等幅分割インキつぼキー（７３）をインキ元ローラ（７１）に対して前後進させる駆動部（７６）を備えており、前記駆動部（７６）は均等幅分割インキつぼキー（７３）の幅内に収まる大きさに形成されている。
【０００６】
【発明が解決しようとする課題】
しかしながら、複数の画像（８５ａ，８５ｂ，８５ｃ，８５ｄ）で印刷を行う場合、均等幅分割インキつぼキー（７３）がインキ元ローラ（７１）の軸方向に均等な幅を持つため、各画像に対応する均等幅分割インキつぼキー（７３）の位置が必然的に決定されてしまう。そのため、インキ供給量を調整したい幅が、均等幅分割インキつぼキー（７３）の幅と同じであり、かつ、インキ元ローラ（７１）に対する均等幅分割インキつぼキー（７３）の位置と一致していれば、何ら問題はないが、実際には図９に示すように設計によるインキ濃度に対応したインキ供給量の調整を行うことができない。
【０００７】
具体的には、図１０に示すようにインキ供給量を調整したい部分（１０１）が、２個の均等幅分割インキつぼキー（７３）の一部分ずつにまたがっている場合、適当なインキ供給量の調整を行うことが困難である。つまり、インキ供給量を調整したい部分（１０１）に対応する、隣接する２個の均等幅分割インキつぼキー（７３）を調整することによって、調整不必要な個所（１０２ａ，１０２ｂ）までインキ供給量が変化してしまう。
【０００８】
また、図１１に示すように一個の均等幅分割インキつぼキー（７３）がインキ元ローラの軸方向に隣り合う複数の画像（８５ａ，８５ｂ）の端部（１１１，１１２）の位置にあり、一方の画像（８５ａ）の端部（１１１）のみのインキ供給量を調整したい場合、もう一方の画像（８５ｂ）の端部（１１２）とその間隙（８６ａ）部分のインキ供給量も変化してしまう。
【０００９】
以上のように、分割インキつぼキーが全て均等幅であるという理由により、意図するインキ供給量の調整個所を調整できず、印刷濃度にムラができてしまうため、高精度な印刷物を得ることができない。また、複数の画像の各画像が同一画像である場合、各画像が異なった印刷濃度となってしまい、均一な印刷物を得ることができないため、複数の画像（８５ａ，８５ｂ，８５ｃ，８５ｄ）とそれらの幅及び数が制約を受けてしまうことになる。
【００１０】
【課題を解決するための手段】
本発明は上記課題を解決するため、印刷幅の両側に配置されるフレーム間に、斜めに配置された底板及びこの幅方向の両側に配置される側板とにより形成されるインキを溜めるためのインキつぼと、左右両フレームにそれぞれ設けられた軸受により回転自在に支持され、底板の端部と近接する位置に配置されインキつぼからインキを送り出すためのインキ元ローラと、両端を左右両フレームに取り付けられて、底板の下方に配置されているつぼ台と、前記インキ元ローラに沿って複数個に細かく分割されたインキつぼキーと、前記インキつぼキーを前記インキ元ローラ対して前後進させるための駆動部とを備えた印刷機のインキ供給装置において、前記インキ供給装置が、一つの画像に対応した互いに異なる幅を持つ一個以上の分割インキつぼキーを有し、前記インキ元ローラの軸方向に隣接していることを特徴とする。
【００１１】
本発明は上記課題を解決するため、印刷幅の両側に配置されるフレーム間に、斜めに配置された底板及びこの幅方向の両側に配置される側板とにより形成されるインキを溜めるためのインキつぼと、左右両フレームにそれぞれ設けられた軸受により回転自在に支持され、底板の端部と近接する位置に配置されインキつぼからインキを送り出すためのインキ元ローラと、両端を左右両フレームに取り付けられて、底板の下方に配置されているつぼ台と、前記インキ元ローラに沿って複数個に細かく分割されたインキつぼキーと、前記インキつぼキーを前記インキ元ローラ対して前後進させるための駆動部とを備えた印刷機のインキ供給装置において、前記インキ供給装置が、複数の画像に対応した互いに異なる幅を持つ一個以上の分割インキつぼキーと、複数の画像におけるそれぞれの間隙に対応した互いに異なる幅を持つ一個以上の固定インキつぼキーとの組み合わせによって構成されるインキつぼキーを有し、前記インキ元ローラの軸方向に隣接していることを特徴とする。
【００１２】
固定インキつぼキーが、ゼロもしくは微量に調整可能であることを特徴とする。
【００１３】
印刷幅の両側に配置されるフレーム間に、斜めに配置された底板と、この幅方向の両側に配置される側板とにより形成されるインキを溜めるためのインキつぼ、左右両フレームにそれぞれ設けられた軸受により回転自在に支持され、底板の端部と近接する位置に配置されインキつぼからインキを送り出すためのインキ元ローラ、両端を左右両フレームに取り付けられて、底板の下方に配置されているつぼ台、前記インキ元ローラに沿って複数個に細かく分割されたインキつぼキー、前記インキつぼキーを前記インキ元ローラ対して前後進させるための駆動部とを備えた印刷機のインキ供給装置において、前記インキ供給装置が、一つの画像に対応した互いに異なる幅を持つ一個以上の分割インキつぼキーを有し、前記インキ元ローラの軸方向に隣接しているインキ供給装置を用いて、一つの画像の幅に対応させて分割インキつぼキーを隣接し、かつ前記分割インキつぼキーを前記インキ元ローラに対して前後進させ、インキ供給量によって各位置のインキ濃度を設計通りに調整し、被印刷物に高精度な印刷をすることを特徴とする。
【００１４】
印刷幅の両側に配置されるフレーム間に、斜めに配置された底板と、この幅方向の両側に配置される側板とにより形成されるインキを溜めるためのインキつぼ、左右両フレームにそれぞれ設けられた軸受により回転自在に支持され、底板の端部と近接する位置に配置されインキつぼからインキを送り出すためのインキ元ローラ、両端を左右両フレームに取り付けられて、底板の下方に配置されているつぼ台、前記インキ元ローラに沿って複数個に細かく分割されたインキつぼキー、前記インキつぼキーを前記インキ元ローラ対して前後進させるための駆動部とを備えた印刷機のインキ供給装置において、前記インキ供給装置が、複数の画像に対応した互いに異なる幅を持つ一個以上の分割インキつぼキーと、インキ元ローラの軸方向に隣り合う複数の画像におけるそれぞれの間隙に対応した互いに異なる幅を持つ一個以上の固定インキつぼキーとの組み合わせによって構成されるインキつぼキーを有し、前記インキ元ローラの軸方向に隣接していることを特徴とするインキ供給装置を用いて、インキ元ローラに対して隣り合う複数の画像におけるそれぞれの間隙に対応させて前記固定インキつぼキーを、ゼロもしくは微量に調整し、かつ複数の画像のそれぞれ幅に対応させて分割インキつぼキーを隣接し、前記分割インキつぼキーを前記インキ元ローラに対して前後進させ、インキ供給量によって各位置のインキ濃度を設計通りに調整し、被印刷物に高精度な印刷をすることを特徴とする。
【００１５】
【発明の実施の形態】
以下、図面を参照して本発明に係る印刷機におけるインキつぼキーの実施の形態を説明する。
【００１６】
この発明の実施の形態である印刷機における一つの画像に対するインキつぼキーの説明を図１、図２及び図３に従って説明する。印刷幅の両側に配置されるフレーム（２２）間にはインキを溜めるためのインキつぼ（１２）、インキつぼ（１２）からインキを送り出すためのインキ元ローラ（１１）及びつぼ台（１５）が取り付けられている。インキつぼ（１２）は、斜めに配置された底板（１４）と、この幅方向の両側に配置される側板（２１）とにより形成されている。インキ元ローラ（１１）は、左右両フレーム（２２）にそれぞれ設けられた図示しない軸受により回転自在に支持されている。インキ元ローラ（１１）は底板（１４）の端部と近接する位置に配置され、インキつぼ（１２）とインキ元ローラ（１１）とによりインキ溜めが形成される。つぼ台（１５）は、その両端を左右両フレーム（２２）に取り付けられて、底板（１４）の下方に配置されている。
【００１７】
つぼ台（１５）の上面のインキ元ローラ（１１）側には、一つの画像に対応した互いに異なる幅を持つ分割インキつぼキー（１３）をインキ元ローラ（１１）の軸方向に互いに隣接させ、図３に示す設計によるインキ濃度に対応させて分割インキつぼキー（１３）を前後進させ、インキ供給量の調整を行う。
【００１８】
この発明の実施の形態である印刷機における複数の画像に対するインキつぼキーの説明を図４、図５及び図６に従って説明する。印刷幅の両側に配置されるフレーム（２２）間にはインキを溜めるためのインキつぼ（１２）、インキつぼ（１２）からインキを送り出すためのインキ元ローラ（１１）及びつぼ台（１５）が取り付けられている。インキつぼ（１２）は、斜めに配置された底板（１４）と、この幅方向の両側に配置される側板（２１）とにより形成されている。インキ元ローラ（１１）は、左右両フレーム（２２）にそれぞれ設けられた図示しない軸受により回転自在に支持されている。インキ元ローラ（１１）は底板（１４）の端部と近接する位置に配置され、インキつぼ（１２）とインキ元ローラ（１１）とによりインキ溜めが形成される。つぼ台（１５）は、その両端を左右両フレーム（２２）に取り付けられて、底板（１４）の下方に配置されている。
【００１９】
つぼ台（１５）の上面のインキ元ローラ（１１）側には、インキ元ローラの軸方向に隣り合う複数の画像（５２ａ，５２ｂ，５２ｃ，５２ｄ）のそれぞれの幅と数、及び複数の画像に対応させて分割した互いに異なる幅を持つ分割インキつぼキー（１３）と、インキ元ローラの軸方向に隣り合う複数の画像（５２ａ，５２ｂ，５２ｃ，５２ｄ）におけるそれぞれの間隙（５３ａ，５３ｂ）の幅に対応させた固定インキつぼキー（４１）をインキ元ローラ（１１）の軸方向に互いに隣接して隙間無く配置させ、図６に示す設計によるインキ濃度に対応させて分割インキつぼキー（１３）を前後進させ、インキ供給量の調整を行う。
【００２０】
また、複数の画像に対応した互いに異なる幅を持つ分割インキつぼキー（１３）と、インキ元ローラの軸方向に隣り合う複数の画像（５２ａ，５２ｂ，５２ｃ，５２ｄ）におけるそれぞれの間隙（５３ａ，５３ｂ）の幅に対応させた固定インキつぼキー（４１）をインキ元ローラ（１１）の軸方向に互いに隣接して配置するわけであるが、分割インキつぼキー（１３）が全て互いに異なる幅を持つことに限定されるわけではなく、画像によっては全て均一な幅の分割インキつぼキー（１３）を用い、互いに隣接して配置することもあり得る。
【００２１】
また、複数の画像が同一画像である場合、各画像におけるインキ供給量の調整が各画像単位で行えるが、まず、一つの画像に対応した互いに異なる幅を持つ分割インキつぼキー（１３）を１個以上組み合わせてインキつぼキーを構成し、このインキつぼキーの構成と他の画像に対応したインキつぼキーの構成を同一にし、分割インキつぼキー（１３）を前後進させ、インキ供給量の調整を行う。
【００２２】
また、特殊な機能を持った機能性インキとして温度で変化する示温インキ、カーボン等を用いた導電インキ、特定条件で色の変わるインキ、ＯＶＩインキ等が挙げられるが、これらの機能性インキを用いて所望する機能を得るには、印刷物毎の濃度を均一にする必要性がある。複数の画像が同一画像であり、かつ機能性インキを用いて印刷を行う場合、各画像におけるインキ供給量の調整が各画像単位で行えるが、まず、一つの画像に対応した互いに異なる幅を持つ分割インキつぼキー（１３）を１個以上組み合わせてインキつぼキーを構成し、このインキつぼキーの構成と他の画像に対応したインキつぼキーの構成を同一にし、分割インキつぼキー（１３）を前後進させ、インキ供給量の調整を行う。
【００２３】
【発明の効果】
本発明における分割インキつぼキーは、個々に互いに異なる幅を持っているため、画像とその幅及び数に対応し、多数の組み合わせ方ができ、インキ供給量を調整したい個所に一致した分割インキつぼキーを見出すことができる。
【００２４】
また、本発明における固定インキつぼキーは、個々に互いに異なる幅を持っており、インキ供給量をゼロもしくは微量に調整可能なため、複数の画像におけるそれぞれの幅、及び該間隙の位置に対応し、画像端部に合わせて分割インキつぼキーを設置することができる。
【００２５】
よって、１個の分割インキつぼキーが隣り合う２つの画像にまたがることもなく、また、インキ供給量を調整したい部分が２個の分割インキつぼキーの一部分ずつにまたがることもないため、画像に対応した分割インキつぼキーの設定ができる。つまり、画像とその幅及び数が分割インキつぼキーの幅によって制約を受けることがない。
【００２６】
また、複数の画像が同一画像である場合、各画像におけるインキ供給量の調整が各画像単位で行え、一つの画像に対応した互いに異なる幅を持つ分割インキつぼキーを１個以上組み合わせてインキつぼキーを構成すれば、他の画像に対応したインキつぼキーの構成も同一でよく、その結果、画像同士のインキ濃度にムラがなく、均一かつ高精度な印刷物を得ることができる。
【００２７】
また、複数の画像が同一画像であり、かつ機能性インキを用いて印刷を行う場合、特に画像同士のインキ濃度を均一にする必要があるが、一つの画像に対応した互いに異なる幅を持つ分割インキつぼキーを１個以上組み合わせてインキつぼキーを構成すれば、他の画像に対応したインキつぼキーの構成も同一でよく、その結果、画像同士のインキ濃度にムラがなく、均一、かつ機能性インキの所望する機能を発現しうる高精度な印刷物を得ることができ、印刷物を真偽判別する際に、精度の高い判別をすることができる。
【図面の簡単な説明】
【図１】本発明における一つの画像に対応する印刷機のインキ供給装置で、図２及び図４のA−A'断面を示したもの
【図２】本発明における一つの画像に対応する印刷機のインキつぼキーを示したもの
【図３】本発明における一つの画像に対応する印刷機の設計によるインキ濃度とインキ供給量の関係の例を示したもの
【図４】本発明における複数の画像に対応する印刷機のインキ供給装置で、図５のB−B'断面を示したもの
【図５】本発明における複数の画像に対応する印刷機のインキつぼキーを示したもの
【図６】本発明における複数の画像に対応する印刷機の設計によるインキ濃度とインキ供給量の関係の例を示したもの
【図７】従来の印刷機のインキ供給装置を示したもの
【図８】従来の印刷機のインキつぼキーを示したもの
【図９】従来の印刷機における設計によるインキ濃度とインキ供給量の関係の例を示したもの
【図１０】インキ供給量を調整したい部分が、２個の均等幅分割インキつぼキーの一部分ずつにまたがっている場合の事例を示したもの
【図１１】一個の均等幅分割インキつぼキーが、インキ元ローラの軸方向に隣り合う複数の画像端部の位置にあり、一方の画像端部のみのインキ供給量を調整したい場合の事例を示したもの
【符号の説明】
１１，７１  インキ元ローラ
１２，７２  インキつぼ
７３  均等幅の分割インキつぼキー
１３  画像に対応した互いに異なる幅を持つ分割インキつぼキー
１４，７４  底板
１５，７５  つぼ台
１６，７６  インキつぼキー駆動部
２１，８１  インキつぼ側板
２２，８２  フレーム
２３，８３  基準インキつぼキー
４１  固定インキつぼキー
５２ａ，５２ｂ，５２ｃ，５２ｄ，８５ａ，８５ｂ，８５ｃ，８５ｄ  複数の画像
５３ａ，５３ｂ，８６ａ，８６ｂ  複数の画像におけるそれぞれの間隙
７１  インキ供給量の調整が必要な部分
７２  インキ供給量の調整が不要な部分
【図１】
0003738387.tif 000002
【図２】
0003738387.tif 000003
【図３】
0003738387.tif 000004
【図４】
0003738387.tif 000005
【図５】
0003738387.tif 000006
【図６】
0003738387.tif 000007
【図７】
0003738387.tif 000008
【図８】
0003738387.tif 000009
【図９】
0003738387.tif 000010
【図１０】
0003738387.tif 000011
【図１１】
0003738387.tif 000012